(57)【要約】      （修正有）【課題】焼き立ての熱々のケーキと冷たい飲物を直ちに飲食でき、また、飲物がこぼれないようにすることを目的とする。【解決手段】テーパー形状の飲料容器の上部開口にケーキを収容したテーパー形状の断熱紙製ケーキ容器を挿入して二段重ねとし、飲料容器の内側壁と断熱紙製ケーキ容器の外側壁との間に補強ストローを外嵌めした、ストローを挿入してなる二段重ね飲食器とした。【選択図】図１
2007151667.tif 000002
【特許請求の範囲】
【請求項１】
テーパー形状の飲料容器の上部開口にケーキを収容したテーパー形状の断熱紙製ケーキ容器を挿入して二段重ねとし、飲料容器の内側壁と断熱紙製ケーキ容器の外側壁との間に補強ストローを外嵌めした、ストローを挿入してなる二段重ね飲食器。
【発明の詳細な説明】
【技術分野】
【０００１】
本発明は、二段重ね飲食器に関し、特に熱々のスフレケーキを収容した断熱紙製ケーキ容器と、冷たい飲物の入った飲料容器とを片手で保持し、もう一方の手で飲食動作を可能にするものである。
【背景技術】
【０００２】
焼き立ての熱々のケーキが入った断熱紙製ケーキ容器と冷たい飲物の入った飲料容器は、それぞれ別々の箇所に置かれ、熱々のケーキと飲物を直ちに飲食しにくいことがある。
【０００３】
片手で使い捨てコップと食品容器を保持し、もう一方の手で飲食動作を可能とするものとして、特許文献１に示す特開２００４−０１６７８５号「使い捨てコップに装着する食品容器」（以下「先行技術」という。）がある。
【０００４】
先行技術では、その図５に示されるように、ストローは端に配置されてなく、蓋４の中央にストローが起立していて食品が食べにくい。また、先行技術では飲物を入れる飲料容器は使い捨てであるが、食品を入れる蓋４は成形加工品で使い捨てではなく、衛生上好ましくない。
【０００５】
さらに、先行技術では、食品を入れる蓋４は浅い半球形状であって、飲物を入れる使い捨てカップの上部開口に単に載置されているだけで、極めて不安定である。
【特許文献１】特開２００４−０１６７８５
【発明の開示】
【発明が解決しようとする課題】
【０００６】
焼き立ての熱々のケーキと冷たい飲物を、直ちに飲食できるようにすることが求められている。
【課題を解決するための手段】
【０００７】
そこで、本発明は、上記の事情に鑑み、焼き立ての熱々のケーキと冷たい飲物を直ちに飲食できるようにすべく、テーパー形状の飲料容器の上部開口にケーキを収容したテーパー形状の断熱紙製ケーキ容器を挿入して二段重ねとし、飲料容器の内側壁と断熱紙製ケーキ容器の外側壁との間に補強ストローを外嵌めした、ストローを挿入してなる二段重ね飲食器とした。
【発明の効果】
【０００８】
本発明は、テーパー形状の飲料容器の上部開口にケーキを収容したテーパー形状の断熱紙製ケーキ容器を挿入して二段重ねとし、飲料容器の内側壁と断熱紙製ケーキ容器の外側壁との間に補強ストローを外嵌めした、ストローを挿入してなる二段重ね飲食器であるので、焼き立ての熱々のケーキと冷たい飲物を直ちに飲食できる。
【発明を実施するための最良の形態】
【０００９】
本発明を添付する図面に示す具体的実施例に基づいて、以下詳細に説明する。
【００１０】
本発明は、図１、図２に示すように、テーパー形状（円錐形状）の飲料容器１の上部開口にケーキを収容したテーパー形状の断熱紙製ケーキ容器２を挿入して二段重ねとし、飲料容器１の内側壁と断熱紙製ケーキ容器２の外側壁の間に補強ストロー３を外嵌めした、ストロー４を挿入してなる二段重ね飲食器である。
【００１１】
ケーキとしては、スフレケーキ、カステラ、洋菓子、回転焼き等が含まれ、これ等の焼き上がったものを、熱々状態で食べてもらおうとするものである。
【００１２】
なお、スフレケーキとは、フランスが発祥の地であり、泡立てた卵白と他の材料を混ぜ合わせて型に入れ、オーブンでふんわりと膨らませて焼いた焼き菓子である。
【００１３】
飲料容器１は、プラスチックあるいは紙製である。形状は下が小径で、上が大径のテーパー形状に形成してある。
【００１４】
ケーキ容器２は、スフレケーキの生地を収容し焼き上げると、その上縁からケーキが上方にフラット状に突出したような形に焼き上がる。
【００１５】
また、ケーキ容器２は、断熱紙製容器で、スフレケーキの焼成温度２５０〜２８０℃に耐えられる。
【００１６】
さらに断熱紙製ケーキ容器２は、前記飲食容器２の上部開口に安定的に挿入できるように、下が小径で上が大径のテーパー形状に形成してある。
【００１７】
また、本発明は、飲料容器１から飲物がこぼれないように、飲料容器１の内側壁と断熱紙製ケーキ容器２の外側壁との間に補強ストロー３を外嵌めした、ストロー４を挿入する。
【００１８】
ストロー４を単に飲料容器１の内側壁と断熱紙製ケーキ容器２の外側壁との間に挿入すれば、飲料容器１と断熱紙製ケーキ容器２に挟まれてストロー４が変形して飲物が飲めなくなるか、あるいは飲みにくくなる。このストスー４の変形をできるだけ避け、飲物が確実に飲めるように補強ストロー３をストロー４に外嵌めする。
【００１９】
補強ストロー３はストロー４と同じ合成樹脂製あるいは紙製で、ストロー４より若干大径で、しっくり嵌合するものを選定する。
【００２０】
補強ストロー３を外嵌めしたストロー４は、図３に示すようにして予め用意しておき、この補強ストロー３を外嵌めしたストロー４を飲料容器１の内側壁と断熱紙製ケーキ容器２の外側壁との間に挿入して使用する。
【００２１】
ストロー４の飲料容器１への挿入部５は、飲料容器１の深さと略同一深さに設定し、ストロー４は飲料容器１に挿入した際、開口６が飲料容器１の底面７近傍に位置するようにする。
【００２２】
また、補強ストロー３は、ストロー４の屈曲部９下端にその上端を当接させてその位置決めを容易にし、使い勝手を良くし、その状態でストロー４の補強が十分にできる長さに設定する。
【００２３】
上記のようにしてなる補強ストロー３を備えたストロー４を、飲料容器１と断熱紙製ケーキ容器２との間に挿入するだけで良いので、非常に使い勝手がよい。
【００２４】
また、飲料容器１の外周面には、断熱紙製ケーキ容器２に収容されたケーキに関する情報を印刷あるいは別紙を貼り付けて、飲食をより一層楽しくさせることもできる。
【００２５】
飲料容器１上部開口に断熱紙製ケーキ容器２を安定して挿入できるように、断熱紙製ケーキ容器２の外周面には、図４に示すように突起８を突設する。
【００２６】
本発明では、飲料容器１内に氷１２を入れ、例えば飲料として紅茶１３を入れる。次にオーブンで焼き上がったスフレケーキ１４の断熱紙製ケーキ容器２を、飲料容器１の上部開口に挿入し、補強ストロー３を備えたストロー４を飲料容器１と断熱紙製ケーキ容器２との間から挿入し、片手で二段重ね飲食器を把持し、他方の手で熱々のスフレケーキを食べることができ、紅茶１３を飲むこともできる。
【００２７】
本発明では、補助ストロー３を用いるので、ストロー４により飲物を容易に飲むことができる。
【００２８】
また、本発明では、ケーキ容器２が断熱紙製であるので、特にスフレケーキ１４の場合、ふんわりと膨らんだ焼き上がり部分が直ぐにしぼむようなことない。
【００２９】
さらに、本発明では、飲料容器１と断熱紙製ケーキ容器２とも使い捨てであるので、至極衛生的である。
【００３０】
さらにまた、本発明では飲料容器１の上部開口内に断熱紙製ケーキ容器２が、高さの１／３程度挿入され、しかも下部には飲料液や氷が入っているので安定している。
【００３１】
さらに、本発明は、ケーキは高温で加熱殺菌されているので、衛生的である。
【産業上の利用可能性】
【００３２】
本発明は、飲料容器とケーキ容器を二段重ね飲食器としたものであるが、飲料容器と通常の食品を収納する食品容器とを二段重ねした飲食器にも利用できる。
【図面の簡単な説明】
【００３３】
【図１】本発明の具体的一実施例の縦断面図である。
【図２】本発明の飲料容器のII−II断面図である。
【図３】本発明の補強ストローを外嵌めしたストローの縦断面図である。
【図４】本発明のケーキ容器の外周面に突起を突設した状態を示すケーキ容器の縦断面図である。
【符号の説明】
【００３４】
１…飲料容器
２…断熱紙製ケーキ容器
３…補強ストロー
４…ストロー
【図１】
2007151667.tif 000003
【図２】
2007151667.tif 000004
【図３】
2007151667.tif 000005
【図４】
2007151667.tif 000006